【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
ＩＰｖ４アドレスを持つ少なくとも１台の第１の装置及びＩＰｖ６アドレスを持つ少なくとも１台の第２の装置とネットワークを介して接続されるネットワーク間接続装置において、
複数のドメインネームとＩＰｖ４アドレスまたはＩＰｖ６アドレスとを対応付けて記憶する第１の記憶手段と、
少なくとも１台の前記第１の装置のそれぞれのＩＰｖ４アドレスと任意のＩＰｖ６アドレスとを対応付けて記憶し、または少なくとも１台の前記第２の装置のそれぞれのＩＰｖ６アドレスと任意のＩＰｖ４アドレスとを対応付けて記憶する第２の記憶手段と、
任意の前記第１の装置または前記第２の装置からドメインネームによるＩＰアドレスの問い合わせフレームを受信し、前記問い合わせフレームをＩＰｖ４ソケットインタフェースから受信したか、またはＩＰｖ６ソケットインタフェースから受信したかを判定する手段と、
前記第１の記憶手段から前記問い合わせフレームに含まれる前記ドメインネームに対応するＩＰｖ４アドレスまたはＩＰｖ６アドレスを取得する手段と、
前記問い合わせフレームをＩＰｖ６ソケットインタフェースから受信し、且つ、前記ドメインネームに対応するＩＰｖ４アドレスを取得した場合、取得した前記ＩＰｖ４アドレスに対応するＩＰｖ６アドレスを前記第２の記憶手段から取得する手段と、
前記問い合わせフレームを発信した前記第１の装置または前記第２の装置に取得した前記ＩＰｖ６アドレスを通知する手段とを有することを特徴とするネットワーク間接続装置。
【請求項２】
ＩＰｖ４アドレスを持つ少なくとも１台の第１の装置及びＩＰｖ６アドレスを持つ少なくとも１台の第２の装置とネットワークを介して接続されるネットワーク間接続装置において、
複数のドメインネームとＩＰｖ４アドレスまたはＩＰｖ６アドレスとを対応付けて記憶する第１の記憶手段と、
少なくとも１台の前記第１の装置のそれぞれのＩＰｖ４アドレスと任意のＩＰｖ６アドレスとを対応付けて記憶し、または少なくとも１台の前記第２の装置のそれぞれのＩＰｖ６アドレスと任意のＩＰｖ４アドレスとを対応付けて記憶する第２の記憶手段と、
任意の前記第１の装置または前記第２の装置からドメインネームによるＩＰアドレスの問い合わせフレームを受信し、前記問い合わせフレームをＩＰｖ４ソケットインタフェースから受信したか、またはＩＰｖ６ソケットインタフェースから受信したかを判定する手段と、
前記第１の記憶手段から前記問い合わせフレームに含まれる前記ドメインネームに対応するＩＰｖ４アドレスまたはＩＰｖ６アドレスを取得する手段と、
前記問い合わせフレームをＩＰｖ４ソケットインタフェースから受信し、且つ、前記ドメインネームに対応するＩＰｖ６アドレスを取得した場合、取得した前記ＩＰｖ６アドレスに対応するＩＰｖ４アドレスを前記第２の記憶手段から取得する手段と、
前記問い合わせフレームを発信した前記第１の装置または前記第２の装置に取得した前記ＩＰｖ４アドレスを通知する手段とを有することを特徴とするネットワーク間接続装置。
【請求項３】
ＩＰｖ４アドレスを持つ少なくとも１台の第１の装置及びＩＰｖ６アドレスを持つ少なくとも１台の第２の装置とネットワークを介して接続されるネットワーク間接続装置において、
少なくとも１台の前記第１の装置のＩＰｖ４アドレスと任意のＩＰｖ６アドレスとをそれぞれ対応付けて記憶し、または少なくとも１台の前記第２の装置のＩＰｖ６アドレスと任意のＩＰｖ４アドレスとをそれぞれ対応付けて記憶する記憶手段と、
任意の前記第１の装置または前記第２の装置からドメインネームによるＩＰアドレスの問い合わせフレームを受信し、前記問い合わせフレームがＩＰｖ４アドレスを問い合わせているか、またはＩＰｖ６アドレスを問い合わせているか判定する判定手段と、
前記問い合わせフレームに含まれる前記ドメインネームに対応するＩＰｖ４アドレスまたはＩＰｖ６アドレスを取得する取得手段と、
前記問い合わせフレームがＩＰｖ６アドレスを問い合わせていると判定し、且つ、前記ドメインネームに対応するＩＰｖ４アドレスを取得した場合、取得した前記ＩＰｖ４アドレスに対応するＩＰｖ６アドレスを前記記憶手段から取得する変換手段と、
前記問い合わせフレームを発信した前記第１の装置または前記第２の装置に取得した前記ＩＰｖ６アドレスを通知する通知手段とを有することを特徴とするネットワーク間接続装置。
【請求項４】
ＩＰｖ４アドレスを持つ少なくとも１台の第１の装置及びＩＰｖ６アドレスを持つ少なくとも１台の第２の装置とネットワークを介して接続されるネットワーク間接続装置において、
少なくとも１台の前記第１の装置のＩＰｖ４アドレスと任意のＩＰｖ６アドレスとをそれぞれ対応付けて記憶し、または少なくとも１台の前記第２の装置のＩＰｖ６アドレスと任意のＩＰｖ４アドレスとをそれぞれ対応付けて記憶する記憶手段と、
任意の前記第１の装置または前記第２の装置からドメインネームによるＩＰアドレスの問い合わせフレームを受信し、前記問い合わせフレームがＩＰｖ４アドレスを問い合わせているか、またはＩＰｖ６アドレスを問い合わせているか判定する判定手段と、
前記問い合わせフレームに含まれる前記ドメインネームに対応するＩＰｖ４アドレスまたはＩＰｖ６アドレスを取得する取得手段と、
前記問い合わせフレームがＩＰｖ４アドレスを問い合わせていると判定し、且つ、前記ドメインネームに対応するＩＰｖ６アドレスを取得した場合、取得した前記ＩＰｖ６アドレスに対応するＩＰｖ４アドレスを前記記憶手段から取得する変換手段と、
前記問い合わせフレームを発信した前記第１の装置または前記第２の装置に取得した前記ＩＰｖ４アドレスを通知する通知手段とを有することを特徴とするネットワーク間接続装置。
【請求項５】
ＩＰｖ４アドレスを持つ少なくとも１台の第１の装置及びＩＰｖ６アドレスを持つ少なくとも１台の第２の装置とネットワークを介して接続されるネットワーク間接続装置において、
複数のドメインネームとＩＰｖ４アドレスまたはＩＰｖ６アドレスとを対応付けて記憶する記憶手段と、
任意の前記第１の装置または前記第２の装置からドメインネームによるＩＰアドレスの問い合わせフレームを受信し、前記問い合わせフレームを受信したソケットの種別を判定する判定手段と、
前記記憶手段から前記問い合わせフレームに含まれる前記ドメインネームに対応するＩＰｖ４アドレスまたはＩＰｖ６アドレスを取得する取得手段と、
前記問い合わせフレームを受信したソケットがＩＰｖ６のソケットであり、且つ、前記ドメインネームに対応するＩＰｖ４アドレスを取得した場合、取得した前記ＩＰｖ４アドレスをＩＰｖ６アドレスに変換する変換手段と、
前記問い合わせフレームを発信した前記第１の装置または前記第２の装置に変換した前記ＩＰｖ６アドレスを通知する通知手段とを有することを特徴とするネットワーク間接続装置。
【請求項６】
ＩＰｖ４アドレスを持つ少なくとも１台の第１の装置及びＩＰｖ６アドレスを持つ少なくとも１台の第２の装置とネットワークを介して接続されるネットワーク間接続装置において、
複数のドメインネームとＩＰｖ４アドレスまたはＩＰｖ６アドレスとを対応付けて記憶する記憶手段と、
任意の前記第１の装置または前記第２の装置からドメインネームによるＩＰアドレスの問い合わせフレームを受信し、前記問い合わせフレームを受信したソケットの種別を判定する判定手段と、
前記記憶手段から前記問い合わせフレームに含まれる前記ドメインネームに対応するＩＰｖ４アドレスまたはＩＰｖ６アドレスを取得する取得手段と、
前記問い合わせフレームを受信したソケットがＩＰｖ４のソケットであり、且つ、前記ドメインネームに対応するＩＰｖ６アドレスを取得した場合、取得した前記ＩＰｖ６アドレスをＩＰｖ４アドレスに変換する変換手段と、
前記問い合わせフレームを発信した前記第１の装置または前記第２の装置に変換した前記ＩＰｖ４アドレスを通知する通知手段とを有することを特徴とするネットワーク間接続装置。
【請求項７】
ドメインネームによるＩＰアドレスの問い合わせに対してＩＰアドレスを通知する装置において、
任意の装置からドメインネームによるＩＰアドレスの問い合わせフレームを受信すると、前記問い合わせフレームがＩＰｖ４アドレスを問い合わせているか、またはＩＰｖ６アドレスを問い合わせているかを判定する手段と、前記問い合わせフレームに含まれる前記ドメインネームに対応するＩＰアドレスを取得する手段と、前記問い合わせフレームがＩＰｖ６アドレスを問い合わせており、取得した前記ＩＰアドレスがＩＰｖ４アドレスである場合、取得した前記ＩＰｖ４アドレスをＩＰｖ６アドレスに変換する手段と、変換した前記ＩＰｖ６アドレスを前記任意の装置に通知する手段とを有することを特徴とする装置。
【請求項８】
ドメインネームによるＩＰアドレスの問い合わせに対してＩＰアドレスを通知する装置において、
任意の装置からドメインネームによるＩＰアドレスの問い合わせフレームを受信すると、前記問い合わせフレームがＩＰｖ４アドレスを問い合わせているか、またはＩＰｖ６アドレスを問い合わせているかを判定する手段と、前記問い合わせフレームに含まれる前記ドメインネームに対応するＩＰアドレスを取得する手段と、前記問い合わせフレームがＩＰｖ４アドレスを問い合わせており、取得した前記ＩＰアドレスがＩＰｖ６アドレスである場合、取得した前記ＩＰｖ６アドレスをＩＰｖ４アドレスに変換する手段と、変換した前記ＩＰｖ４アドレスを前記任意の装置に通知する手段とを有することを特徴とする装置。
【請求項９】
ネットワークに接続された第１の装置のＩＰアドレスをネットワークに接続された第２の装置に通知する方法において、
予め複数のドメインネームとＩＰｖ４アドレスまたはＩＰｖ６アドレスとを対応付けて記憶し、
予め少なくとも１つのＩＰｖ４アドレスとＩＰｖ６アドレスとをそれぞれ対応付けて記憶し、
前記第２の装置から前記第１の装置のドメインネームによるＩＰアドレスの問い合わせフレームを受信し、
前記問い合わせフレームをＩＰｖ４ソケットインタフェースから受信したか、またはＩＰｖ６ソケットインタフェースから受信したかを判定し、
前記問い合わせフレームに含まれる前記第１の装置のドメインネームに対応づけて記憶しているＩＰｖ４アドレスまたはＩＰｖ６アドレスを取得し、
前記問い合わせフレームをＩＰｖ６ソケットインタフェースから受信したと判定し、且つ、前記第１の装置のドメインネームに対応付けられたＩＰｖ４アドレスを取得した場合、取得した前記ＩＰｖ４アドレスに対応付けて記憶しているＩＰｖ６アドレスを取得し、
取得した前記ＩＰｖ６アドレスを前記第２の装置に通知することを特徴とする通知方法。
【請求項１０】
ネットワークに接続された第１の装置のＩＰアドレスをネットワークに接続された第２の装置に通知する方法において、
予め複数のドメインネームとＩＰｖ４アドレスまたはＩＰｖ６アドレスとを対応付けて記憶し、
予め少なくとも１つのＩＰｖ４アドレスとＩＰｖ６アドレスとをそれぞれ対応付けて記憶し、
前記第２の装置から前記第１の装置のドメインネームによるＩＰアドレスの問い合わせフレームを受信し、
前記問い合わせフレームをＩＰｖ４ソケットインタフェースから受信したか、またはＩＰｖ６ソケットインタフェースから受信したかを判定し、
前記問い合わせフレームに含まれる前記第１の装置のドメインネームに対応づけて記憶しているＩＰｖ４アドレスまたはＩＰｖ６アドレスを取得し、
前記問い合わせフレームをＩＰｖ４ソケットインタフェースから受信したと判定し、且つ、前記第１の装置のドメインネームに対応付けられたＩＰｖ６アドレスを取得した場合、取得した前記ＩＰｖ６アドレスに対応付けて記憶しているＩＰｖ４アドレスを取得し、
取得した前記ＩＰｖ４アドレスを前記第２の装置に通知することを特徴とする通知方法。
【請求項１１】
ネットワークに接続された第１の装置のＩＰアドレスをネットワークに接続された第２の装置に通知する方法において、
予め少なくとも１つのＩＰｖ４アドレスとＩＰｖ６アドレスとをそれぞれ対応付けて記憶し、
前記第２の装置から前記第１の装置のドメインネームによるＩＰアドレスの問い合わせフレームを受信し、
前記問い合わせフレームがＩＰｖ４アドレスを問い合わせているか、またはＩＰｖ６アドレスを問い合わせているか判定し、
前記問い合わせフレームに含まれる前記第１の装置のドメインネームに対応するＩＰｖ４アドレスまたはＩＰｖ６アドレスを取得し、
前記問い合わせフレームがＩＰｖ６アドレスを問い合わせていると判定し、且つ、前記第１の装置のドメインネームに対応するＩＰｖ４アドレスを取得した場合、取得した前記ＩＰｖ４アドレスに対応付けて記憶しているＩＰｖ６アドレスを取得し、
取得した前記ＩＰｖ６アドレスを前記第２の装置に通知することを特徴とする通知方法。
【請求項１２】
ネットワークに接続された第１の装置のＩＰアドレスをネットワークに接続された第２の装置に通知する方法において、
予め少なくとも１つのＩＰｖ４アドレスとＩＰｖ６アドレスとをそれぞれ対応付けて記憶し、
前記第２の装置から前記第１の装置のドメインネームによるＩＰアドレスの問い合わせフレームを受信し、
前記問い合わせフレームがＩＰｖ４アドレスを問い合わせているか、またはＩＰｖ６アドレスを問い合わせているか判定し、
前記問い合わせフレームに含まれる前記第１の装置のドメインネームに対応するＩＰｖ４アドレスまたはＩＰｖ６アドレスを取得し、
前記問い合わせフレームがＩＰｖ４アドレスを問い合わせていると判定し、且つ、前記第１の装置のドメインネームに対応するＩＰｖ６アドレスを取得した場合、取得した前記ＩＰｖ６アドレスに対応付けて記憶しているＩＰｖ４アドレスを取得し、
取得した前記ＩＰｖ４アドレスを前記第２の装置に通知することを特徴とする通知方法。
【請求項１３】
ネットワークに接続された第１の装置のＩＰアドレスをネットワークに接続された第２の装置に通知する方法において、
予め複数のドメインネームとＩＰｖ４アドレスまたはＩＰｖ６アドレスとを対応付けて記憶し、
前記第２の装置から前記第１の装置のドメインネームによるＩＰアドレスの問い合わせフレームを受信し、
前記問い合わせフレームを受信したソケットの種別を判定し、
前記問い合わせフレームに含まれる前記第１の装置のドメインネームに対応づけて記憶しているＩＰｖ４アドレスまたはＩＰｖ６アドレスを取得し、
前記問い合わせフレームを受信したソケットがＩＰｖ６のソケットであり、且つ、前記第１の装置のドメインネームに対応付けられたＩＰｖ４アドレスを取得した場合、取得した前記ＩＰｖ４アドレスをＩＰｖ６アドレスに変換し、
変換した前記ＩＰｖ６アドレスを前記第２の装置に通知することを特徴とする通知方法。
【請求項１４】
ネットワークに接続された第１の装置のＩＰアドレスをネットワークに接続された第２の装置に通知する方法において、
予め複数のドメインネームとＩＰｖ４アドレスまたはＩＰｖ６アドレスとを対応付けて記憶し、
前記第２の装置から前記第１の装置のドメインネームによるＩＰアドレスの問い合わせフレームを受信し、
前記問い合わせフレームを受信したソケットの種別を判定し、
前記問い合わせフレームに含まれる前記第１の装置のドメインネームに対応づけて記憶しているＩＰｖ４アドレスまたはＩＰｖ６アドレスを取得し、
前記問い合わせフレームを受信したソケットがＩＰｖ４のソケットであり、且つ、前記第１の装置のドメインネームに対応付けられたＩＰｖ６アドレスを取得した場合、取得した前記ＩＰｖ６アドレスをＩＰｖ４アドレスに変換し、
変換した前記ＩＰｖ４アドレスを前記第２の装置に通知することを特徴とする通知方法。
【請求項１５】
ドメインネームによるＩＰアドレスの問い合わせに対してＩＰアドレスを通知する方法において、
任意の装置からドメインネームによるＩＰアドレスの問い合わせフレームを受信し、前記問い合わせフレームがＩＰｖ４アドレスを問い合わせているか、またはＩＰｖ６アドレスを問い合わせているか判定し、前記問い合わせフレームに含まれる前記ドメインネームに対応するＩＰアドレスを取得し、前記問い合わせフレームがＩＰｖ６アドレスを問い合わせており、取得した前記ＩＰアドレスがＩＰｖ４アドレスである場合、取得した前記ＩＰｖ４アドレスをＩＰｖ６アドレスに変換し、変換した前記ＩＰｖ６アドレスを前記任意の装置に通知することを特徴とする通知方法。
【請求項１６】
ドメインネームによるＩＰアドレスの問い合わせに対してＩＰアドレスを通知する方法において、
任意の装置からドメインネームによるＩＰアドレスの問い合わせフレームを受信し、前記問い合わせフレームがＩＰｖ４アドレスを問い合わせているか、またはＩＰｖ６アドレスを問い合わせているか判定し、前記問い合わせフレームに含まれる前記ドメインネームに対応するＩＰアドレスを取得し、前記問い合わせフレームがＩＰｖ４アドレスを問い合わせており、取得した前記ＩＰアドレスがＩＰｖ６アドレスである場合、取得した前記ＩＰｖ６アドレスをＩＰｖ４アドレスに変換し、変換した前記ＩＰｖ４アドレスを前記任意の装置に通知することを特徴とする通知方法。